(57)【要約】【課題】本発明によれば、ゴルフ場の池や養魚池の水の他、貯水タンク、浴場、クーリングタワー等の生活用水の水の浄化を、極めて簡便に、かつ効率よく行うことができ、アオコ等の藻類の繁茂や、大腸菌、レジオネラ菌、その他の雑菌の繁殖を抑制することを目的とするものである。【解決手段】金属銅成分を含有する綿状金属繊維が網体に収納されてなる水質処理部材。【選択図】図１
2008229573.tif 000002
【特許請求の範囲】
【請求項１】
金属銅成分を含有する綿状金属繊維が網体に収納されてなる水質処理部材。
【請求項２】
さらに、吸着剤が収納されてなる請求項１記載の水質処理部材。
【請求項３】
水質処理部材が、浄化対象水域の水中に懸垂状態に保持可能に構成されてなる請求項１または２に記載される水質処理部材。
【請求項４】
請求項１〜３のいずれか１項に記載される水質処理部材の上部に浮き機構を有し、また、下部に錘機構を有してなる水質処理材。
【請求項５】
浮体が直接または間接的に係止または掛止されてなる浮き機構である請求項４に記載される水質処理材。
【請求項６】
錘体が直接または間接的に係止または掛止されてなる錘機構である請求項４に記載される水質処理材。
【請求項７】
黄銅の繊維である請求項１〜３のいずれか１項に記載される水質処理部材。
【請求項８】
黄銅の繊維である請求項４〜６のいずれか１項に記載される水質処理材。
【請求項９】
Ｚｎ含量が３０〜４５重量％の範囲である黄銅の繊維である請求項１〜３および７のいずれか１項に記載される水質処理部材。
【請求項１０】
Ｚｎ含量が３０〜４５重量％の範囲である黄銅の繊維である請求項４〜６および８のいずれか１項に記載される水質処理材。
【請求項１１】
Ｃｕ−Ｚｎ３５％合金のα黄銅の繊維である請求項１〜３、７および９のいずれか１項に記載される水質処理部材。
【請求項１２】
Ｃｕ−Ｚｎ３５％合金のα黄銅の繊維である請求項４〜６、８および１０のいずれか１項に記載される水質処理材。
【請求項１３】
ロール状に形成されてなる請求項１〜３、７、９および１１のいずれか１項に記載される水質処理部材。
【請求項１４】
水質処理部材がロール状に成形されてなる請求項４〜６、８、１０および１２のいずれか１項に記載される水質処理材。
【請求項１５】
シート状に成形されてなる請求項１〜３、７、９および１１のいずれか１項に記載される水質処理部材。
【請求項１６】
水質処理部材がシート状に成形されてなる請求項４〜６、８、１０および１２のいずれか１項に記載される水質処理材。
【請求項１７】
請求項１〜３、７、９、１１、１３および１５のいずれか１項に記載される水質処理部材に処理対象水を接触させることを特徴とする水浄化方法。
【請求項１８】
請求項４〜６、８、１０、１２、１４および１６のいずれか１項に記載される水質処理材に処理対象水を接触させることを特徴とする水浄化方法。
【発明の詳細な説明】
【技術分野】
【０００１】
本発明は水処理材に関する。さらに詳しくは、雑菌や藻類の繁殖を抑制するために有用な水処理材およびそれを用いる水処理方法に関する。
【背景技術】
【０００２】
従来、ゴルフ場の池等の水面に、水中ポンプや銅板製の接触材等を有する浄化装置を浮かべ、浄化対象の水域の水をポンプでくみ上げ、上記の接触剤に接触させることにより、アオコ等の藻類や雑菌の繁殖を抑制する方法が知られている（特許文献１）。
【０００３】
【特許文献１】実開平５−２８５００号公報
【発明の開示】
【発明が解決しようとする課題】
【０００４】
しかしながら、当該装置はポンプの運転のための電源を必要とし、また、泥や藻類の堆積を伴う中で、的確な運転維持を図るためのメンテナンスも必要となる。
【０００５】
また、かかる装置は比較的大きいことから、貯水タンク等の比較的狭い面積の水域での水処理には不適であった。
【課題を解決するための手段】
【０００６】
かかる状況下で、本発明者らは、より簡便で、かつ狭い面積の水域の水や浴場等にも適用し得る水浄化方法を開発すべく、種々検討した結果、金属銅成分を含む綿状金属繊維（以下、本スチールウールと言うこともある）が網体に収納されてなる水質処理部材および当該部材を含む水質処理材が、目的とする水浄化方法に好適であることを見出し、本発明に至った。
【発明の効果】
【０００７】
本発明によれば、ゴルフ場の池や養魚池の水の他、貯水タンク、浴場、クーリングタワー等の生活用水の水の浄化を、極めて簡便に、かつ効率よく行うことができ、アオコ等の藻類の繁茂や、大腸菌、レジオネラ菌、その他の雑菌の繁殖を抑制することができる。
【発明を実施するための最良の形態】
【０００８】
以下、本発明を詳細に説明する。
【０００９】
本スチールウールとしては、銅製繊維、黄銅製繊維等を挙げることができ、入手容易性、浄化性能、価格等の点で、黄銅製繊維が好ましい。
【００１０】
かかる黄銅製繊維としては、黄銅ウール（Brass Wool）として市販されている亜鉛濃度３５％の黄銅の繊維が挙げられる。
【００１１】
本スチールウールを収納するための網体としては、ネット状のものであれば、特に限定されるものではないが、加工性、強靭性、耐水性、価格等の点で樹脂製ネットが好ましく、また処理部材として、一定形状を保持し得る網体であることが好ましい。
【００１２】
また、その網目の大きさは、収納されるスチールウールが脱落せず、また、被処理水とスチールウールとの効率的な接触が妨げられない程度であれば、特に制限されるものではない。
【００１３】
本発明の水質処理部材形状は、使用目的や使用場面によっても変わり得るが、例えば、伸展されたスチールウールが網体に収納されて、略正方形や長方形のマットのようなシート状形態とするか、または、概マットを巻くか、若しくは、伸展されたスチールウールを網体で巻き込んでロール状形態に形成されることにより、被処理水との接触の効率化を図ることができる。
【００１４】
また、略正方形のシート状形態の水質保持部材とすることにより、使用目的や場面に応じ、その使用枚数によって、スチールウールの必要量を容易に確保することができる。
【００１５】
さらには、上記のシート状形態、または、ロール状形態とする形状を保持したまま運搬も容易となる。
【００１６】
尚、本発明の水質保持部材には、スチールウールに加え、活性炭、ゼオライト、発泡セラミック等の吸着性浄化剤が含まれていてもよく、例えば、スチールウールと共に網体に収納されるか、また、これらの浄化剤が収納されている別の収納具がスチールウールを収納されてなる前記網体に掛止されていてもよい。
【００１７】
吸着性浄化剤としてスチールウールと共に前記網体に収納される場合は、予め、吸着性浄化剤を別の容器体または網体に入れておくことが望ましい。
【００１８】
かかる本発明の水質保持部材は、そのまま、これに被処理水を接触させて用いてもよいが、通常、浄化対象水域の水中において、懸垂状態で使用され、そのために当該部材の上部に浮き機構が設けられ、また、下部には錘機構が設けられてなる水質保持材として使用される。
【００１９】
このような浮き機構としては、上記水質保持部材に浮袋、発泡スチロール等の浮体が直接掛止されるか、または、ロープ体等を介して、間接的に係止される形態が挙げられ、また、錘機構としては、上記水質保持部材に金属、コンクリートブロック、岩石等の錘材やアンカー等の錘体が直接掛止されるか、または、ロープ体等を介して、間接的に係止される状態が挙げられ、設置位置（深さ）の調整し易さの点から、上記の錘材が長さ調整可能なロープ体を介して係止される状態が好ましい。
【００２０】
また、かかる本発明の水質保持材を浄化対象水域の水中に設置して実用に供するに際しては、１枚のシート状水質保持部材を有する水質保持材を多数枚用意して、その各々を水中に設置したり、多数枚のシート状水質保持部材を有する一つの水質保持材として設置したり、シート状水質保持部材の両端を結合させて、円筒体の水質保持部材を有する水質保持材として設置したり、比較的長いシート状水質保持部材を折り曲げて屏風体の水質保持部材を有する水質保持材として設置したり、または、ロール状水質保持材をそのままで、或いは、巻きを緩めた後、これに浮体および錘体を係止または掛止させて水質保持材として設置する等、種々の形態を取ることができる。
【００２１】
このようにして調製される本発明の水質保持材は対象となる水域の大きさ、対象水の藻類や雑菌の繁殖度合い、対象水の用途等により、その使用形態、設置数量等が変わり得るが、前述の黄銅製繊維の使用量として、被処理水１０００Ｌ当たり、３０〜３００ｇ程度であることが好ましい。
【００２２】
以下、実施例等により本発明をさらに詳細に説明するが、本発明は下記の例に制限されるものではない。
【００２３】
製造例１
市販の黄銅製繊維２ｋｇを略均一な厚さになるように、縦×横＝１ｍ×１ｍに伸展した後、その両面を樹脂製網体(網目２５ｍｍ×２５ｍｍ)ではさみ、網体周辺部を樹脂製紐で縛るととも、概黄銅製繊維が移動しないように、樹脂製紐を概黄銅製繊維内を貫通させ、夫々、対応する位置で２枚の網体を繋止（計１２ヶ所）し、本発明のシート状水質処理部材を得る。このようにして製造されるシート状水質処理部材５枚をダンボール箱に収納し水質処理部材製品とする。
【００２４】
製造例２
市販の黄銅製繊維２ｋｇを略均一な厚さになるように、縦×横＝４０ｃｍ×５０ｃｍに伸展した後、その両面を樹脂製網体(網目２５ｍｍ×２５ｍｍ)ではさみ、網体周辺部を樹脂製紐で縛るととも、概黄銅製繊維が移動しないように、樹脂製紐を概黄銅製繊維内を貫通させ、夫々、対応する位置で２枚の網体を繋止（計１２ヶ所）し、本発明のシート状水質処理部材を得る。
【００２５】
製造例３
市販の黄銅繊維２ｋｇを均一な厚さになるように、縦×横＝１ｍ×２ｍに伸展した後、これを略同じ大きさの網体(網目２５ｍｍ×２５ｍｍ）で巻き包み、本発明のロール状水質処理部材を得る。
【００２６】
製造例４
縦×横×高＝３０ｃｍ×３０ｃｍ×５０ｃｍの網体（網目２５ｍｍ×２５ｍｍ）に市販の黄銅繊維（商品名：ブラウスウールＢＷ８０、日本スチールウール株式会社製）１．５ｋｇと竹炭１，５ｋｇを収納し、本発明の水質処理部材を得た。
【００２７】
製造例５
竹炭１．５ｋｇに代えて、発泡セラミックス（破砕粒）１．５ｋｇを用いた以外は、製造例３と同様にして、本発明の水質処置部材を得た。
【００２８】
製造例６
竹炭１．５ｋｇに代えて、ナイロンネット（網目：３ｍｍ）に入れたキューポラスラグ（商品名：エミットーンアクア）１．５ｋｇを用いた以外は、製造例３と同様にして、本発明の水質処理部材を得た。
【００２９】
試験例１
図１に示すように、製造例５で得た水質処理部材１の上部に樹脂製のロープ２を介して、浮袋３が係止され、また、その下部には、樹脂製のロープ４を介して、錘体５が係止されてなる本発明の水質処理材１０セットを、水量４００ｍ３の既存の散水タンクに投入し、約２年間放置した。その結果、タンク内壁や配管のぬめりが消え、ガスの発生や水の悪臭も消失した。
【００３０】
試験例２
製造例５で得た水質処理部材に代えて、製造例３で得た水質処理部材を用いた以外は、試験例１と同様にして得られた本発明の水質保持部材１０セットを、水量約４００ｍ３のゴルフ場内の池に設置し、約２年間放置した。その結果、初年度はアオミドロの発生が見られたが、２年目にはアオコおよびアオミドロともに、ほとんど、その発生が見られなかった。
【００３１】
試験例３
製造例５で得た水質保持部材に変えて、製造例４で得た水質保持部材を用いた以外は試験例１と同様にして得られた本発明の水質処理材１５セットを、水量約７００ｍ３のゴルフ場内の池に設置し、約５ヶ月放置した。その結果、アオコの最盛期には、一時的に発生したものの、その後は、当該処理剤を用いない例年の発生量に比べて、その発生量が著しく少なかった。
【産業上の利用可能性】
【００３２】
本発明によれば、ゴルフ場の池や養魚池の水の他、貯水タンク、浴場、クーリングタワー等の生活用水の水の浄化を、極めて簡便に、かつ効率よく行うことができ、アオコ等の藻類の繁茂や、大腸菌、レジオネラ菌、その他の雑菌の繁殖を抑制することができる。
【図面の簡単な説明】
【００３３】
【図１】図１は、被処理水中における本発明の水質保持材の実施形態を示す概略図である。
【符号の説明】
【００３４】
１は水質処理部材、２は樹脂製のロープ、３は浮袋、４は樹脂製のロープ、５は錘体を各々表す。
【図１】
2008229573.tif 000003